(57)【特許請求の範囲】
【請求項１】
入射光を電荷に変換することでその光の強度に応じた信号電荷を発生させる光電変換手段と、その光電変換手段から発生した信号電荷を蓄積して記憶する複数の電荷蓄積手段とを備えることで、前記光電変換手段によって信号電荷を発生させて、その信号電荷を前記電荷蓄積手段からそれに隣接する電荷蓄積手段に順次に蓄積しながら転送して撮像を行うように構成された撮像素子の駆動方法であって、撮影ボタンを押下して発生した信号を受信した後に外部トリガを受信した場合に、前記撮影ボタンを押下して発生した信号の受信から前記外部トリガの受信までは前記撮像素子の読み出しゲートおよび転送電極に印加される電圧をＯＦＦにし、外部トリガの受信に同期して撮像素子の読み出しゲートおよび転送電極ヘ電圧を印加することにより、前記光電変換手段から前記電荷蓄積手段に前記信号電荷を順次に蓄積しながら転送するように制御することを特徴とする撮像素子の駆動方法。
【請求項２】
請求項１に記載の撮像素子の駆動方法において、前記撮影ボタンを押下して発生した信号の受信から前記外部トリガの受信までの前記撮像素子の読み出しゲートおよび転送電極に印加される電圧をＯＦＦにした状態では、撮像素子のリセットを定期的に行うことを特徴とする撮像素子の駆動方法。
【請求項３】
入射光を電荷に変換することでその光の強度に応じた信号電荷を発生させる光電変換手段と、その光電変換手段から発生した信号電荷を蓄積して記憶する複数の電荷蓄積手段とを備えることで、前記光電変換手段によって信号電荷を発生させて、その信号電荷を前記電荷蓄積手段からそれに隣接する電荷蓄積手段に順次に蓄積しながら転送して撮像を行うように構成された撮像素子と、その撮像素子の駆動を制御する撮像素子制御手段とを備えた撮像装置であって、前記撮像素子制御手段は、撮影ボタンを押下して発生した信号を受信した後に外部トリガを受信した場合に、前記撮影ボタンを押下して発生した信号の受信から前記外部トリガの受信までは前記撮像素子の読み出しゲートおよび転送電極に印加される電圧をＯＦＦにし、外部トリガの受信に同期して撮像素子の読み出しゲートおよび転送電極へ電圧を印加することにより、前記光電変換手段から前記電荷蓄積手段に前記信号電荷を順次に蓄積しながら転送するように制御することを特徴とする撮像装置。
【請求項４】
請求項３に記載の撮像装置において、前記撮像素子制御手段は、前記撮影ボタンを押下して発生した信号の受信から前記外部トリガの受信までの前記撮像素子の読み出しゲートおよび転送電極に印加される電圧をＯＦＦにした状態では、撮像素子のリセットを定期的に行うことを特徴とする撮像装置。
【発明の詳細な説明】
【技術分野】
【０００１】
この発明は、入射光を電荷に変換することでその光の強度に応じた信号電荷を発生させて撮像を行う撮像素子の駆動方法および撮像装置に関する。
【背景技術】
【０００２】
この種の撮像素子として、例えばＣＣＤ(Charge Coupled Device)型固体撮像素子がある。近年、かかるＣＣＤ型固体撮像素子（以下、『ＣＣＤ』と略記する）では、高速撮像のような短い撮影周期（例えば１００μｓ以下）で行うことが可能に構成されている。風船の爆発や鉄球の衝突や微生物への刺激などの撮影対象の変化を示す所定の事象が発生した瞬間では、その事象の変化が急激であるので、かかる高速撮像を用いることで急激な事象の変化を詳細に撮像することが可能である。
【０００３】
しかし、コマ（フレーム）数が限られているので、事象の発生を基点にして見たいところの撮影周期を短く制御する（例えば、特許文献１参照）。また、事象の発生前においても、事象の変化前の様子を撮像するのが好ましい。そこで、事象の発生前では撮影周期を長く制御して撮像を行い、事象の発生後では撮影周期を短く制御する。
【０００４】
ところで、高速撮像でのＣＣＤの駆動は大きく分けると、『内部撮影』と呼ばれる駆動と、『外部撮影』と呼ばれる駆動とがある。上述した事象の発生を外部トリガとして取り込まれた外部信号、あるいは撮像ボタンが押下されて発生した外部信号に同期して、ＣＣＤの駆動を開始する。上述した『内部撮影』では、ＣＣＤの駆動の開始から所定枚数（例えば１００フレーム）分のデータを撮像した後に、ＣＣＤの駆動を停止させる制御が行われる。逆に、上述した『外部撮影』では、ＣＣＤの駆動の開始から外部信号を受信すると、それに同期してＣＣＤの駆動を停止させる制御が行われる。
【特許文献１】特開２００４−１５６１２公報（第１−１６頁、図１−１０）
【発明の開示】
【発明が解決しようとする課題】
【０００５】
しかしながら、上述した『外部撮影』の場合では、外部信号を受信しない限り、ＣＣＤに代表される撮像素子の駆動が続行されている。撮影速度が１．０×１０６フレーム／秒（１，０００，０００フレーム／秒）の高速撮像のように撮影周期が１μｓの場合には、撮像素子が発熱してしまう。そこで、素子保護のために、所定時間内に外部信号を受信しない場合、所定温度までに素子温度が上昇した場合には、撮像素子の駆動を停止させて撮像を中止するようにしている。このように撮像素子の駆動を停止させると、撮像を続行したいにも関わらず撮像素子の駆動の停止によって撮像が中止してしまうという事態が発生する。
【０００６】
この発明は、このような事情に鑑みてなされたものであって、撮像素子の発熱を抑えることができる撮像素子の駆動方法および撮像装置を提供することを目的とする。
【課題を解決するための手段】
【０００７】
この発明は、このような目的を達成するために、次のような構成をとる。
すなわち、請求項１に記載の発明は、入射光を電荷に変換することでその光の強度に応じた信号電荷を発生させる光電変換手段と、その光電変換手段から発生した信号電荷を蓄積して記憶する複数の電荷蓄積手段とを備えることで、前記光電変換手段によって信号電荷を発生させて、その信号電荷を前記電荷蓄積手段からそれに隣接する電荷蓄積手段に順次に蓄積しながら転送して撮像を行うように構成された撮像素子の駆動方法であって、撮影ボタンを押下して発生した信号を受信した後に外部トリガを受信した場合に、前記撮影ボタンを押下して発生した信号の受信から前記外部トリガの受信までは前記撮像素子の読み出しゲートおよび転送電極に印加される電圧をＯＦＦにし、外部トリガの受信に同期して撮像素子の読み出しゲートおよび転送電極ヘ電圧を印加することにより、前記光電変換手段から前記電荷蓄積手段に前記信号電荷を順次に蓄積しながら転送するように制御することを特徴とするものである。
【０００８】
［作用・効果］請求項１に記載の発明によれば、複数の電荷蓄積手段を備えた撮像素子で撮像を行う場合には、短い撮影周期で撮像を行うことが可能であるが、撮像素子が発熱しやすくなる。そこで、撮影ボタンを押下して発生した信号（撮像開始に関する信号）を受信した後に外部トリガ（所定の信号）を受信した場合に、撮影ボタンを押下して発生した信号（撮像開始に関する信号）の受信から外部トリガ（所定の信号）の受信までは、撮像素子の読み出しゲートおよび転送電極に印加される電圧をＯＦＦにし（すなわち撮像素子の駆動を停止させ）、外部トリガ（所定の信号）の受信に同期して撮像素子の読み出しゲートおよび転送電極ヘ電圧を印加することにより、光電変換手段から電荷蓄積手段に信号電荷を順次に蓄積しながら転送する（すなわち撮像素子の駆動を開始する）ように制御することで、撮影ボタンを押下して発生した信号（撮像開始に関する信号）の受信後に撮像素子の駆動を直ちに開始せずに、撮影ボタンを押下して発生した信号（撮像開始に関する信号）の受信から外部トリガ（所定の信号）の受信までの時間だけ撮像素子の駆動の開始を遅らせることになる。したがって、撮影ボタンを押下して発生した信号（撮像開始に関する信号）の受信から外部トリガ（所定の信号）の受信までの時間だけ撮像素子の駆動時間を短縮することができて、撮像素子の発熱を抑えることができる。なお、この発明は、外部信号を受信してから撮像素子の駆動を停止させる『外部撮影』の場合に有用であり、上述した所定の信号を受信した後に、撮像停止に関する外部信号を受信するようにすればよい。
【０００９】
また、請求項３に記載の発明は、入射光を電荷に変換することでその光の強度に応じた信号電荷を発生させる光電変換手段と、その光電変換手段から発生した信号電荷を蓄積して記憶する複数の電荷蓄積手段とを備えることで、前記光電変換手段によって信号電荷を発生させて、その信号電荷を前記電荷蓄積手段からそれに隣接する電荷蓄積手段に順次に蓄積しながら転送して撮像を行うように構成された撮像素子と、その撮像素子の駆動を制御する撮像素子制御手段とを備えた撮像装置であって、前記撮像素子制御手段は、撮影ボタンを押下して発生した信号を受信した後に外部トリガを受信した場合に、前記撮影ボタンを押下して発生した信号の受信から前記外部トリガの受信までは前記撮像素子の読み出しゲートおよび転送電極に印加される電圧をＯＦＦにし、外部トリガの受信に同期して撮像素子の読み出しゲートおよび転送電極へ電圧を印加することにより、前記光電変換手段から前記電荷蓄積手段に前記信号電荷を順次に蓄積しながら転送するように制御することを特徴とするものである。
【００１０】
［作用・効果］請求項３に記載の発明によれば、撮像素子制御手段は、撮影ボタンを押下して発生した信号（撮像開始に関する信号）を受信した後に外部トリガ（所定の信号）を受信した場合に、撮影ボタンを押下して発生した信号（撮像開始に関する信号）の受信から外部トリガ（所定の信号）の受信までは、撮像素子の読み出しゲートおよび転送電極に印加される電圧をＯＦＦにし（すなわち撮像素子の駆動を停止させ）、外部トリガ（所定の信号）の受信に同期して撮像素子の読み出しゲートおよび転送電極ヘ電圧を印加することにより、光電変換手段から電荷蓄積手段に信号電荷を順次に蓄積しながら転送する（すなわち撮像素子の駆動を開始する）ように制御することで、撮影ボタンを押下して発生した信号（撮像開始に関する信号）の受信後に撮像素子の駆動を直ちに開始せずに、撮影ボタンを押下して発生した信号（撮像開始に関する信号）の受信から外部トリガ（所定の信号）の受信までの時間だけ撮像素子の駆動時間を短縮することができて、撮像素子の発熱を抑えることができる。
【００１１】
上述したこれらの発明において、上述した撮影ボタンを押下して発生した信号（撮像開始に関する信号）の受信から上述した外部トリガ（所定の信号）の受信までの撮像素子の読み出しゲートおよび転送電極に印加される電圧をＯＦＦにした状態（すなわち撮像素子の駆動の停止）では、撮像素子のリセットを定期的に行うのが好ましい（請求項２、４に記載の発明）。撮像素子の駆動を停止させても、暗電流や前回の撮像素子の駆動等によって信号電荷が発生して、ノイズが発生する。そこで、信号電荷などのノイズを排出させるリセットを定期的に行うことで、ノイズを低減させることができる。
【発明の効果】
【００１２】
この発明に係る撮像素子の駆動方法および撮像装置によれば、撮影ボタンを押下して発生した信号（撮像開始に関する信号）を受信した後に外部トリガ（所定の信号）を受信した場合に、撮影ボタンを押下して発生した信号（撮像開始に関する信号）の受信から外部トリガ（所定の信号）の受信までは、撮像素子の読み出しゲートおよび転送電極に印加される電圧をＯＦＦにし（すなわち撮像素子の駆動を停止させ）、外部トリガ（所定の信号）の受信に同期して撮像素子の読み出しゲートおよび転送電極ヘ電圧を印加することにより、光電変換手段から電荷蓄積手段に信号電荷を順次に蓄積しながら転送する（すなわち撮像素子の駆動を開始する）ように制御することで、撮影ボタンを押下して発生した信号（撮像開始に関する信号）の受信後に撮像素子の駆動を直ちに開始せずに、撮影ボタンを押下して発生した信号（撮像開始に関する信号）の受信から外部トリガ（所定の信号）の受信までの時間だけ撮像素子の駆動時間を短縮することができて、撮像素子の発熱を抑えることができる。
【実施例】
【００１３】
以下、図面を参照してこの発明の実施例を説明する。
図１は、実施例に係るＣＣＤ型固体撮像素子（ＣＣＤ）を用いた撮像装置の概略を示すブロック図であり、図２は、ＣＣＤの構成を示すブロック図である。
【００１４】
実施例に係る撮像装置は、被写体の光学像を取り込み、取り込まれた光学像を信号電荷に変換するとともに電気信号に変換して被写体を撮像するように構成されている。すなわち、撮像装置は、図１に示すように、固体撮像素子（ＣＣＤ）１を備えるとともに、レンズ２と相関二重サンプリング部３とＡＤコンバータ４と画像処理演算部５とモニタ６と操作部７と制御部８とを備えている。さらに、撮像装置は、電源部９ａとタイミングジェネレータ９ｂとを備えている。この撮像装置は、撮影速度が１．０×１０６フレーム／秒（１，０００，０００フレーム／秒）の高速撮像として用いられる。固体撮像素子（ＣＣＤ）１は、この発明における撮像素子に相当し、電源部９ａおよびタイミングジェネレータ９ｂは、この発明における撮像素子制御手段に相当する。
【００１５】
レンズ２は、被写体の光学像を取り込む。相関二重サンプリング部３は、ＣＣＤ１からの信号電荷を低雑音に増幅して電気信号に変換して取り出す。ＡＤコンバータ４は、その電気信号をディジタル信号に変換する。画像処理演算部５は、ＡＤコンバータ４でディジタル化された電気信号に基づいて被写体の２次元画像を作成するために各種の演算処理を行う。モニタ６は、その２次元画像を画面に出力する。操作部７は、撮像の実行に必要な種々の操作を行う。制御部８は、操作部７により設定された撮影条件などの操作にしたがって装置全体を統括制御する。
【００１６】
電源部９ａは、後述する読み出しゲート１４（図２を参照）や、ＣＣＤ１内の信号電荷を転送する転送電極などに電圧を印加する。タイミングジェネレータ９ｂは、電圧の印加のタイミングや撮像のタイミングやクロックなどを生成する。このように、タイミングジェネレータ９ｂがタイミングやクロックなどを生成して、電源部９ａが転送電極などに電圧を印加することで、電源部９ａおよびタイミングジェネレータ９ｂはＣＣＤ１を駆動する。特に、本実施例では、後述する図３のタイミングチャートに示すように、撮像開始に関する信号を受信した後に外部トリガを受信した場合に、上述した撮像開始に関する信号の受信から上述した外部トリガの受信まではＣＣＤ１の駆動を停止させ、外部トリガの受信に同期してＣＣＤ１の駆動を開始するように制御するように構成されている。
【００１７】
次に、ＣＣＤ１は、図２に示すように、入射光（被写体の光学像）を電荷に変換することでその光の強度に応じた信号電荷を発生させるフォトダイオード１１と、そのフォトダイオード１１から発生した信号電荷を蓄積して記憶する複数の蓄積用ＣＣＤ１２と、これら蓄積用ＣＣＤ１２内の信号電荷を図２に示す垂直方向に転送する垂直転送用ＣＣＤ１３とを備えている。フォトダイオード１１は、この発明における光電変換手段に相当し、蓄積用ＣＣＤ１２は、この発明における電荷蓄積手段に相当する。
【００１８】
各フォトダイオード１１の傍らには読み出しゲート１４をそれぞれ配設しており、このフォトダイオード１１からそれに隣接した蓄積用ＣＣＤ１２へ各読み出しゲート１４は信号電荷を読み出す。
【００１９】
各蓄積用ＣＣＤ１２についてはそれぞれをライン状に接続して構成しており、ライン状の蓄積用ＣＣＤ１２を複数本分配設している。フォトダイオード１１から発生した信号電荷を、隣接する蓄積用ＣＣＤ１２に順次に転送しながら各蓄積用ＣＣＤ１２に蓄積する。そして、蓄積用ＣＣＤ１２から順次に転送された信号電荷を垂直転送用ＣＣＤ１３に合流させる。垂直転送用ＣＣＤ１３から転送されたこの信号電荷を水平転送用ＣＣＤ１５に転送する。
【００２０】
フォトダイオード１１を２次元状に配置しており、水平および垂直方向に平行して各フォトダイオード１１を並べて配設する関係上、ライン状の蓄積用ＣＣＤ１２は斜め方向に延びている。本実施例に係るＣＣＤ１は、いわゆる『画素周辺記録型撮像素子』と呼ばれているものである。なお、ＣＣＤ１の全体構成については従来と同じである。
【００２１】
なお、このように複数の蓄積用ＣＣＤ１２を備えることで、蓄積用ＣＣＤ１２からそれに隣接する蓄積用ＣＣＤ１２に信号電荷を順次に蓄積しながら転送して撮像を行う。したがって、撮影速度が１．０×１０６フレーム／秒（１，０００，０００フレーム／秒）の高速撮像のように撮影周期が１μｓと短い場合であっても、短い撮影周期で撮像を行うことができる。
【００２２】
続いて、ＣＣＤ１の具体的な駆動制御について、図３を参照して説明する。図３は、本実施例に係るＣＣＤの駆動に関するタイミングチャートである。なお、従来のＣＣＤの駆動に関するタイミングチャートである図４と比較しながら説明する。従来や本実施例（図４、図３）では、撮像開始に関する信号を受信するまでは、事象の発生前において事象の変化前の様子をモニタリングするために、撮影周期Ｔ１（図３、図４を参照）を２．０μｓ／フレーム（すなわち撮影速度が５００×１０３フレーム／秒）として行う撮像を例に採って説明する。また、従来（図４）では、撮像開始に関する信号を受信した後は、事象の発生後における急激な事象の変化を詳細に撮像するために、また、本実施例（図３）では、事象の発生をトリガとして検出して、その外部トリガを受信した後は、事象の発生後における急激な事象の変化を詳細に撮像するために、事象の発生前の撮影周期Ｔ１よりも短い撮影周期Ｔ２（図３、図４を参照）で行い、その撮影周期Ｔ２を１．０μｓ／フレーム（すなわち撮影速度が１．０×１０６フレーム／秒）として行う撮像を例に採って説明する。
【００２３】
従来や本実施例においても、撮像開始に関する信号を受信するまでは、上述したように事象の発生前において事象の変化前の様子をモニタリングするために、撮影周期Ｔ１が２．０μｓ／フレームで、ＣＣＤ１を駆動させている。撮影ボタンを押下して撮像開始に関する信号、あるいは撮像装置の外部にあるパーソナルコンピュータ等から撮像開始に関する信号を発生させて、制御部８を介して、その信号を電源部９ａおよびタイミングジェネレータ９ｂに送り込む。
【００２４】
従来の場合には、図４に示すように、撮像開始に関する信号を受信したら、その信号に同期して、タイミングジェネレータ９ｂはその同期のタイミングで、電源部９ａはＣＣＤ１の読み出しゲート１４や転送電極（図示省略）に電圧を印加して、ＣＣＤ１の駆動を開始する。
【００２５】
一方、本実施例の場合には、図３に示すように、撮像開始に関する信号を受信したら、その信号に同期して、タイミングジェネレータ９ｂはその同期のタイミングで、電源部９ａはＣＣＤ１の読み出しゲート１４や転送電極（図示省略）への電圧の印加を停止させて、ＣＣＤ１の駆動を停止させる。ＣＣＤ１の駆動の停止は、事象の発生が検出された外部トリガを受信するまで引き続き行われる。外部トリガは、この発明における所定の信号に相当する。
【００２６】
その代わりに、本実施例の場合には、その外部トリガを受信するまで、ＣＣＤ１のリセットが定期的（例えば数分ごと）に行われる。具体的なＣＣＤ１のリセットについて、図５を参照して説明する。図５は、ＣＣＤのリセットのための信号電荷の排出を模式的に示したポテンシャルおよびＣＣＤの基板の概略図である。
【００２７】
例えば、ＣＣＤ１の基板は、図５に示すように、Ｎウェル基板２１の上にＰウェル基板２２が積層形成されており、そのＰウェル基板２２にｎ＋拡散層２３がドープされて拡散されて構成されている。そのときのポテンシャルは、図５の左側に示す通りである。もし、ＣＣＤ１の駆動を停止させても、暗電流や前回のＣＣＤ１の駆動等によって信号電荷Ｑが発生して、ｎ＋拡散層２３にいる場合には、ｎ＋拡散層２３にいる信号電荷を排出させるために、ポテンシャルを上げる。図５の場合には、Ｐウェル基板２２に印加する電圧を上げることで、図５の２点鎖線に示すようにポテンシャルを上げて、ｎ＋拡散層２３にいる信号電荷Ｑを排出させる。このＰウェル基板２２に印加する電圧も電源部９ａから行うようにする。
【００２８】
そして、本実施例では、事象が発生したら、その事象の発生をトリガとして検出して、制御部８を介して、その外部トリガを電源部９ａおよびタイミングジェネレータ９ｂに送り込む。外部トリガを受信したら、そのトリガに同期して、タイミングジェネレータ９ｂはその同期のタイミングで、電源部９ａはＣＣＤ１の読み出しゲート１４や転送電極（図示省略）に電圧を印加して、ＣＣＤ１の駆動を開始する。
【００２９】
ＣＣＤ１の駆動の開始後は、従来や本実施例においても、上述したように事象の発生後における急激な事象の変化を詳細に撮像するために、事象の発生前の撮影周期Ｔ１よりも短い撮影周期Ｔ２が１．０μｓ／フレームで、ＣＣＤ１を駆動させている。撮像停止に関する外部信号を受信したら、ＣＣＤ１の撮像を停止する。撮像の停止後は、事象の発生後をモニタリングするために、図３に示すように、撮影周期Ｔ１が２．０μｓ／フレームで、ＣＣＤ１を再度駆動させてもよいし、ＣＣＤ１の駆動を完全に停止してリセットを再度行ってもよい。
【００３０】
上述したＣＣＤ１の駆動方法および撮像装置によれば、複数の蓄積用ＣＣＤ１２を備えたＣＣＤ１で撮像を行う場合には、短い撮影周期で撮像を行うことが可能であるが、ＣＣＤ１が発熱しやすくなる。そこで、電源部９ａおよびタイミングジェネレータ９ｂは、撮像開始に関する信号を受信した後に所定の信号として外部トリガを受信した場合に、撮像開始に関する信号の受信から外部トリガの受信まではＣＣＤ１の駆動を停止させ、外部トリガの受信に同期してＣＣＤ１の駆動を開始するように制御することで、撮像開始に関する信号の受信後にＣＣＤ１の駆動を直ちに開始せずに、撮像開始に関する信号の受信から外部トリガの受信までの時間だけＣＣＤ１の駆動の開始を遅らせることになる。したがって、撮像開始に関する信号の受信から外部トリガの受信までの時間だけＣＣＤ１の駆動時間を短縮することができて、ＣＣＤ１の発熱を抑えることができる。
【００３１】
なお、この発明は、本実施例（図３のタイミングチャート）のように、外部信号を受信してからＣＣＤ１の駆動を停止させる『外部撮影』の場合に有用であり、上述した外部トリガを受信した後に、撮像停止に関する外部信号を受信するようにする。
【００３２】
本実施例では、上述した撮像開始に関する信号の受信から上述した外部トリガの受信までのＣＣＤ１の駆動の停止では、図５に示すように、ＣＣＤ１のリセットを定期的に行っている。ＣＣＤ１の駆動を停止させても、暗電流や前回のＣＣＤ１の駆動等によって信号電荷が発生して、ノイズが発生する。そこで、信号電荷などのノイズを排出させるリセットを定期的に行うことで、ノイズを低減させることができる。
【００３３】
この発明は、上記実施形態に限られることはなく、下記のように変形実施することができる。
【００３４】
（１）上述した実施例では、撮影速度が１００，０００フレーム／秒以上の高速撮像に適しているが、撮影速度が１００，０００フレーム／秒未満の通常の撮像に適用してもよい。
【００３５】
（２）上述した実施例では、光電変換手段としてフォトダイオードを例に採って説明したが、フォトゲートを替わりに用いてもよい。
【００３６】
（３）上述した実施例では、斜行ＣＣＤによる『画素周辺記録型撮像素子』を例に採って説明したが、ライン状の蓄積用ＣＣＤを垂直方向に延在するように構成した撮像素子、またはマトリクス状の蓄積用ＣＣＤで構成した蓄積素子にもこの発明は適用することができる。
【００３７】
（４）上述した実施例では、ＣＣＤ１の駆動の停止では、ＣＣＤ１のリセットを定期的に行っていたが、信号電荷などのノイズを排出させることを考慮する必要がない場合には、必ずしもＣＣＤ１のリセットを行う必要はない。
【００３８】
（５）上述した実施例では、図３のタイミングチャートに示すように、撮像開始に関する信号を受信するまでは、事象の発生前において事象の変化前の様子をモニタリングするために、撮影周期Ｔ１が２．０μｓ／フレームで、ＣＣＤ１を駆動させていたが、ＣＣＤ１の駆動を完全に停止してもよい。
【図面の簡単な説明】
【００３９】
【図１】実施例に係るＣＣＤ型固体撮像素子（ＣＣＤ）を用いた撮像装置の概略を示すブロック図である。
【図２】実施例に係るＣＣＤの構成を示すブロック図である。
【図３】実施例に係るＣＣＤの駆動に関するタイミングチャートである。
【図４】図３との比較のための従来のＣＣＤの駆動に関するタイミングチャートである。
【図５】ＣＣＤのリセットのための信号電荷の排出を模式的に示したポテンシャルおよびＣＣＤの基板の概略図である。
【符号の説明】
【００４０】
１  …  ＣＣＤ型固体撮像素子（ＣＣＤ）
９ａ  …  電源部
９ｂ  …  タイミングジェネレータ
１１  …  フォトダイオード
１２  …  蓄積用ＣＣＤ
【図１】
0004946849.tif 000002
【図２】
0004946849.tif 000003
【図３】
0004946849.tif 000004
【図４】
0004946849.tif 000005
【図５】
0004946849.tif 000006